(57)【要約】【課題】  アームを個別に回動，保持することができて、障害者及び介護者が良好に使用できるシャワー装置を提供する。【解決手段】  複数の散水ノズル１３，１３，１３を有して上下方向に回動可能なアーム１０，１１を左右に２本備えたシャワー装置において、２本のアーム１０，１１それぞれに、上下方向に任意の角度、または、段階的な角度に保持可能なアーム支持部１７Ａ，１７Ｂを備え、それぞれのアーム１０，１１が単独で回動，保持できるように構成されている。【選択図】        図３
2005073959.tif 000002
【特許請求の範囲】
【請求項１】
複数の散水ノズルを有して上下方向に回動可能なアームを左右に２本備えたシャワー装置において、前記２本のアームそれぞれに、上下方向に任意の角度、または、段階的な角度に保持可能なアーム支持部を備え、それぞれのアームが単独で回動，保持が可能に構成されていることを特徴とするシャワー装置。
【請求項２】
前記左右のアームのそれぞれの回転軸を、互いに連結、及び連接解除が可能なクラッチ機構を備えたことを特徴とする請求項１に記載のシャワー装置。
【請求項３】
前記左右両方のアームの散水ノズルからの散水と、左右何れかのアームの散水ノズルのみからの散水とを切替可能に構成したことを特徴とする請求項１または請求項２に記載のシャワー装置。
【発明の詳細な説明】
【技術分野】
【０００１】
本発明は、上下方向に回動可能な左右のアームを備えたシャワー装置に関するものである。
【背景技術】
【０００２】
従来、複数の散水ノズルを有して上下方向に回動可能なアームを左右に２本備えたシャワー装置が存在する。
【特許文献１】特開２００２−１１２９１２号公報
【特許文献２】特開平１１−３１８７４１号公報
【発明の開示】
【発明が解決しようとする課題】
【０００３】
しかし、従来のシャワー装置においては、左右２本のアームが同時に動く構造であり、１本のアームを動かせば他の１本のアームも動くことで、通常使用時においては使用しやすいものとなっているが、例えば、障害を持った人の中には、シャワーキャリー等の椅子に腰を掛けた際に、身体を真っ直ぐに保持できない人もおり、そのような場合、アームを個別に操作，保持できないと、アームと身体や頭が干渉したり、顔にシャワーがかかったりすることがあった。
また、左右のアームの中央部に、操作ハンドルが設けられている場合には、介護者が被介護者の横に立ってハンドル操作する場合、アームが邪魔になって操作しにくいという問題点があった。
【課題を解決するための手段】
【０００４】
本発明は上記従来の問題点に鑑み案出したものであって、身体を真っ直ぐに保持できない障害を持った人が使用する際にも良好に使用することができ、また、介護者が横に立って操作する場合にも操作しやすいシャワー装置を提供せんとするものであり、請求項１は、複数の散水ノズルを有して上下方向に回動可能なアームを左右に２本備えたシャワー装置において、前記２本のアームそれぞれに、上下方向に任意の角度、または、段階的な角度に保持可能なアーム支持部を備え、それぞれのアームが単独で回動，保持が可能に構成されていることである。
また、請求項２は、前記左右のアームのそれぞれの回転軸を、互いに連結、及び連接解除が可能なクラッチ機構を備えたことである。
また、請求項３は、前記左右両方のアームの散水ノズルからの散水と、左右何れかのアームの散水ノズルのみからの散水とを切替可能に構成したことである。
【発明の効果】
【０００５】
本発明は、２本のアームそれぞれに、上下方向に任意の角度、または、段階的な角度に保持可能なアーム支持部を備え、それぞれのアームが単独で回動，保持が可能に構成されていることにより、左右のアームを個別に操作できるため、障害により身体を真っ直ぐに保持できない人が使用する際にも、身体や頭がアームと干渉しないように調整することができ、また、散水が顔にかからないように個別にアームを調整することができるものとなる。
また、操作用ハンドルが２本のアームの中央部にあり、介護者が横に立って操作する際にも、片方のアームを任意に動かすことができるため、操作しやすいものとなる。
【０００６】
また、左右のアームのそれぞれの回転軸を、互いに連結、及び連接解除が可能なクラッチ機構を備えたことにより、クラッチの連結，連結解除により、左右のアームを同時に動かすこともでき、また片方ずつ動かすこともできるため、使用場面に合わせて良好にクラッチの連結，解除状態を選択することができるものとなる。
【０００７】
また、左右両方のアームの散水ノズルからの散水と、左右何れかのアームの散水ノズルのみからの散水とを切替可能に構成したことにより、通常使用時には、左右両方のアームの散水ノズルから散水させて、全身にシャワーを浴びることができ、障害者や介護者が操作する際には、散水を切り替えて、左右何れかのアームの散水ノズルのみからの散水を行うことができ、良好な使用状態が得られるものとなる。
【実施例】
【０００８】
以下、本発明の実施例を図面に基づいて説明する。
図１は、浴室内に設置されたシャワー装置の収納状態の斜視構成図であり、また図２は、使用状態の側面構成図である。
【０００９】
図において、シャワー装置１は、水栓金具を内装した水栓金具部６の前面に、温度調節ハンドル２，切替ハンドル３Ａ，全身シャワー開閉ハンドル３，切替開閉ハンドル４が設けられており、中央部には下向きに吐水口５が設けられている。
この水栓金具部６の左右両側から、それぞれ左下アーム７、及び右下アーム８が下方へ垂設され、この左右の下アーム７，８は浴室の壁面Ｗに固定状に取り付けられており、下アーム７，８間の下方側には洗面器台９が壁面Ｗに固設されている。
【００１０】
また、水栓金具部６の上方には、左右に左上アーム１０と右上アーム１１がそれぞれ上下方向に回動可能に設けられて、壁面Ｗに添うように立設させて収納できるように構成されており、左上アーム１０と右上アーム１１間の壁面Ｗに、鏡１２が配置されている。
なお、４本のアーム７，８，１０，１１には、それぞれ複数の散水ノズル１３，１３，１３が設けられており、各散水ノズル１３，１３，１３からシャワー水を噴出させることができるように構成されている。
【００１１】
図１の収納状態から、図２のように、左上アーム１０及び右上アーム１１を使用者が下方側へ回転させ、自分の体型，姿勢に合わせて任意の位置に保持させて、散水ノズル１３，１３，１３からシャワー水を噴出させて使用することができるものである。
【００１２】
なお、温度調節ハンドル２は、水と湯の混合比率を調整して最適な湯温とすることができるものであり、また、全身シャワー開閉ハンドル３は、各散水ノズル１３，１３，１３からの散水と止水を開閉操作するものである。
また、切替ハンドル３Ａは、中央位置では、左右のアーム１０，１１のそれぞれの散水ノズル１３から散水させることが可能であり、左側へ回転させることにより、左上アーム１０に設けられた散水ノズル１３のみから散水させることができるものであり、また、逆の右側へ回転させることにより、右上アーム１１に設けられた散水ノズル１３のみから散水させることができるものである。
また、切替開閉ハンドル４は、別に設けられたハンドシャワーからの散水と吐水口５からの吐水を切り替えできるものである。
【００１３】
カバー材１４を取り外した図３の斜視図で示すように、水栓金具部６の上部には、水平方向に左回転軸１６Ａと右回転軸１６Ｂが設けられ、左回転軸１６Ａは左上アーム１０に連結されており、右回転軸１６Ｂは右上アーム１１に連結されている。
壁面に固設されたフレーム１５Ａ及び１５Ｂに、それぞれ回転軸１６Ａ，１６Ｂは回転可能に支持されており、左側のフレーム１５Ａには、左アーム支持部１７Ａが取り付けられており、また、右側のフレーム１５Ｂには、右アーム支持部１７Ｂが取り付けられている。
【００１４】
この左アーム支持部１７Ａは、左上アーム１０を上下方向に任意の角度、または段階的な角度に保持することができるものであり、また、右側の右アーム支持部１７Ｂは、右上アーム１１を上下方向に任意の角度、または段階的な角度に保持可能なものである。
また、左右の回転軸１６Ａ，１６Ｂは、ほぼ中央部に設けられたクラッチ機構１８を介して、連結することができ、また、逆に連結を解除できるように構成されている。
このクラッチ機構１８の拡大図を図４に示す。
【００１５】
図４において、左回転軸１６Ａの先端には固定ドラム１９が設けられており、この固定ドラム１９には、複数の歯部１９ａと溝部１９ｂが交互に形成されている。
また、一方の右回転軸１６Ｂには、移動ドラム２０が設けられており、この移動ドラム２０の先端にも、複数の歯部２０ａと溝部２０ｂが交互に設けられている。
なお、移動ドラム２０には止ネジ２０ｃ等が設けられており、この止ネジ２０ｃを弛めることで、移動ドラム２０を右回転軸１６Ｂに沿って移動させることができるように構成されている。
【００１６】
移動ドラム２０を固定ドラム１９に対し移動させることで、クラッチ機構１８による連結を解除できるものであり、固定ドラム１９に対し移動ドラム２０を連結し、即ち、固定ドラム１９の複数の歯部１９ａを、移動ドラム２０の複数の溝部２０ｂ内に係合させて連結させ、止ネジ２０ｃを締め付けて移動ドラム２０を固定することにより、左回転軸１６Ａと右回転軸１６Ｂが連結されて、両回転軸１６Ａ，１６Ｂは同期回転できるものである。
【００１７】
なお、止ネジ２０ｃに代えて、手動で移動ドラム２０を固定または移動可能に構成しておくこともでき、必要に応じて、カバー材１４を外して、移動ドラム２０を移動させ、回転軸１６Ａ，１６Ｂの連結，連結解除を行うことができるように構成されている。
【００１８】
固定ドラム１９と移動ドラム２０を係合させてクラッチ機構１８が連結状態にある場合には、左右のアーム１０，１１を同時に上下方向へ回転させることができるものであり、切替ハンドル３Ａを中央位置にしておき、全身シャワー開閉ハンドル３を操作して、左右のアーム１０，１１の散水ノズル１３，１３から散水させて、全身にシャワーを浴びることができるものである。
【００１９】
また、障害により身体を真っ直ぐに保持できない人が使用する際などにおいては、クラッチ機構１８の連結を解除して、左上アーム１０と右上アーム１１が個別に独立して上下方向に回動できるようにすることができ、この場合は、例えば図５に示すように、右上アーム１１は起立状態にしておき、左上アーム１０のみを上下方向に任意の角度に調整して、左上アーム１０に設けられている散水ノズル１３のみから散水させて使用することができるものである。
【００２０】
このように使用することにより、身体を真っ直ぐに保持できない人においても、身体や頭がアーム１１と干渉することがなくなり、また、散水が顔にかからないように調整することができるものである。
また、介護者が横に立って操作する場合にも、片方のアーム１０または１１を任意に動かすことで、中央部に設けられているハンドル２，３Ａ，３，４等の操作を良好に行うことができるものとなる。
【００２１】
なお、左上アーム１０に設けられている散水ノズル１３のみから散水させる場合には、切替ハンドル３Ａを左側へ回転させておき、その状態で、全身シャワー開閉ハンドル３を開閉させて、左上アーム１０の散水ノズル１３のみから散水させることができるものとなる。
また逆に、右上アーム１１を使用して、この右上アーム１１に設けられている散水ノズル１３のみから散水させる場合には、切替ハンドル３Ａを右側へ切り替えておき、その状態で全身シャワー開閉ハンドル３を開閉操作して、右上アーム１１の散水ノズル１３のみから散水させることができるものとなる。
【００２２】
なお、左右のアーム１０，１１は、それぞれ左右のアーム支持部１７Ａ，１７Ｂを介して、それぞれ独立で上下方向に任意の角度、または段階的な角度に保持させて使用できるものである。
なお、左アーム支持部１７Ａと右アーム支持部１７Ｂは同じ構造であるため、図６では、例えば左アーム支持部１７Ａの構造を説明する。
【００２３】
図６には、左アーム支持部１７Ａの構成部材の分解斜視図を示しているが、左アーム支持部１７Ａは、左ケース板２５と、円筒状の外郭部材２６と、この外郭部材２６内に回転可能に嵌め込まれる回転部材２７と、右側の右ケース板３１を備え、カラー３２，３２内にネジを通して左右のケース板２５，３１間に、回転部材２７を収納した状態で外郭部材２６が組み付けられるものである。
回転部材２７の外周には、間隔をおいて、例えば４個の収納凹部２８，２８，２８，２８が凹み状に形成されており、各収納凹部２８内には、ローラー部材２９と樹脂バネ３０がそれぞれ収納されるものである。
なお、回転部材２７から一体状に突出した軸部２７ａが、左回転軸１６Ａにピンを介して連結固定されるものである。
【００２４】
なお、左ケース板２５と外郭部材２６とカラー３２を一体化させた左アーム支持部１７Ａの変更例において、その組み付け手順を図７〜図１０に示し説明する。
図７では、外郭部材２６内に回転部材２７を組み付ける前の分解図を示しており、図８のように、外郭部材２６内に回転部材２７を収納させた後に、回転部材２７の外周に凹み状に形成されている各収納凹部２８内に、ローラー部材２９をそれぞれ挿入させ、さらに図９のように、各収納凹部２８内にそれぞれ樹脂バネ３０を挿入して、樹脂バネ３０でローラー部材２９のガタつきを防いだ状態にする。この状態で図１０に示すように、ネジ３４，３４，３４で右ケース板３１を締め付けて、左アーム支持部１７Ａを組み立てる。
【００２５】
なお、内部に組み込まれた回転部材２７，ローラー部材２９，樹脂バネ３０に水が浸入しないように、オーリングを用いて水密状に組み立てる。
即ち、図１１の概略断面構成図で示すように、オーリングは３個使用されて、完全な水密構造に組み立てられるのである。
図１１では、左右のケース板２５，３１と回転部材２７間は、左右のオーリング３５ａ，３５ｂで水密性が確保され、右ケース板３１と外郭部材３６間は、オーリング３５ｃで水密性が確保される。
【００２６】
なお、図１２は、組付状態における左アーム支持部１７Ａの内部断面拡大構成図を示しているが、回転部材２７に凹み状に形成された４個の収納凹部２８，２８，２８，２８の各底面２８ａは、それぞれ傾斜状に形成されており、図では収納凹部２８内の一方側に樹脂バネ３０が配置されて、ローラー部材２９を他方側の壁面に向かって付勢しており、この他方側の壁面に向かって、底面２８ａは傾斜状に形成されている。
即ち、各収納凹部２８は、樹脂バネ３０が入れられる一方側が最も深く凹んでおり、他方側に向かって次第に凹みが浅くなるように、底面２８ａが傾斜されている。
【００２７】
このような構造の左アーム支持部１７Ａにおいては、上アーム１０を収納状態から使用状態へ回転させる時、即ち下方側へアーム１０を回転させる時には、左回転軸１６Ａと共に、フレーム１５Ａに固定された外郭部材２６内で、回転部材２７が反時計方向に回転することとなり、この下向きの反時計方向の回転が加わると、各収納凹部２８内に収納されているローラー部材２９は、傾斜状の底面２８ａに沿って、収納凹部２８内の浅い凹みとなっている他方側の壁面に向かって転動され、外郭部材２６の内周面間に挟み付けられてゆき、次第に摩擦力を発生させることとなり、アーム１０が下方へ回転されるほど、ローラー部材２９は強く収納凹部２８の底面２８ａと外郭部材２６の内周面に挟み付けられて、摩擦力を増大してゆくこととなる。
【００２８】
即ち、この左アーム支持部１７Ａは、一方向クラッチの作用を成すものであり、アーム１０を下方側へ回転させる際のみに摩擦力が発生する。
なお、アーム１０を上方側へ、即ち収納位置へ向かって時計方向に回転させる時には、各ローラー部材２９は収納凹部２８内の深い凹み側へ転動され、外郭部材２６の内周面との間に摩擦力が発生することがなく、軽い力でアーム１０を上方側へ回転させることができる。
なお、本例ではアーム１０を下向きに回転させる時に発生される摩擦力が、アーム１０の自重による下方への回転力よりも大となるように設定してあり、アーム１０が自重で回転することがなく、アーム１０を好みに合わせて任意の位置で静止させることができるように構成されている。
【００２９】
なお、図１２に示す状態は、アーム１０の収納位置における断面図であり、このアーム１０の収納状態で、外郭部材２６の内周面に形成された凹部２６ａ内にローラー部材２９が嵌まり込むように設定されている。即ち、アーム１０を上方へ回転させて収納位置に達すると、ローラー部材２９は凹部２６ａに係合し、この係合時に良好な節度感が得られて、収納位置に達したことを良好に確認することができるものとなる。
【００３０】
なお、更に図１３の拡大断面図で示すように、この外郭部材２６の内周に形成された凹部２６ａを、急勾配面としておけば、アーム１０が収納位置に達した時に、ローラー部材２９が凹部２６ａ内に嵌まり込むと、カチッという音を発し、係合した瞬間のクリック感が得られて、収納位置に収納されたことを良好に確認することができるものとなる。
なお、ローラー部材２９が凹部２６ａ内に嵌まり込んだ状態では、外力が加わらない限り、アーム１０は収納状態に維持されるものであり、使用者がアーム１０を下方へ回転させようとして力を加えた時に、凹部２６ａからローラー２９が抜脱し、この場合にも、良好な節度感が得られるものである。
【図面の簡単な説明】
【００３１】
【図１】シャワー装置のアームを収納した状態の斜視構成図である。
【図２】アームを下向きに回転させた使用状態の側面構成図である。
【図３】収納状態におけるシャワー装置のカバーを外して内部機構を露出させた状態の斜視構成図である。
【図４】クラッチ機構を構成する固定ドラムと移動ドラムの分解斜視図である。
【図５】左上アームのみを上下方向に回動させて使用する状態のシャワー装置の斜視構成図である。
【図６】アーム支持部の構成部材の分解斜視図である。
【図７】アーム支持部の外郭部材内に回転部材を組み付ける作業状態図である。
【図８】更に、回転部材の収納部内にローラー部材を組み付ける作業状態図である。
【図９】更に、収納部内に樹脂バネを挿着させる作業状態図である。
【図１０】更に、ネジでケース板を一体化させる作業状態図である。
【図１１】アーム支持部の水密構造を説明する概略断面構成図である。
【図１２】アームの収納状態におけるアーム支持部の断面拡大構成図である。
【図１３】外郭部材の内周面に形成された凹部の変更例を示すアーム支持部の要部断面拡大構成図である。
【符号の説明】
【００３２】
１  シャワー装置
２  温度調節ハンドル
３  全身シャワー開閉ハンドル
３Ａ  切替ハンドル
４  切替開閉ハンドル
７，８  下アーム
１０  左上アーム
１１  右上アーム
１３  散水ノズル
１５Ａ，１５Ｂ  フレーム
１６Ａ  左回転軸
１６Ｂ  右回転軸
１７Ａ  左アーム支持部
１７Ｂ  右アーム支持部
１８  クラッチ機構
１９  固定ドラム
２０  移動ドラム
１９ａ，２０ａ  歯部
１９ｂ，２０ｂ  溝部
２０ｃ  止ネジ
２５，３１  ケース板
２６  外郭部材
２６ａ  凹部
２６ｂ  凸部
２７  回転部材
２７ａ  軸部
２８  収納凹部
２８ａ  底面
２９  ローラー部材
３０  樹脂バネ
３５ａ，３５ｂ，３５ｃ  オーリング
Ｗ  壁面
【図１】
2005073959.tif 000003
【図２】
2005073959.tif 000004
【図３】
2005073959.tif 000005
【図４】
2005073959.tif 000006
【図５】
2005073959.tif 000007
【図６】
2005073959.tif 000008
【図７】
2005073959.tif 000009
【図８】
2005073959.tif 000010
【図９】
2005073959.tif 000011
【図１０】
2005073959.tif 000012
【図１１】
2005073959.tif 000013
【図１２】
2005073959.tif 000014
【図１３】
2005073959.tif 000015